(57)【要約】【課題】貯蔵物の視認性を向上できる冷蔵庫を提供する。【解決手段】貯蔵物を収納する貯蔵室２と、貯蔵室２の両側壁８の前部に配されるとともに上下に並ぶ複数のＬＥＤ３と、貯蔵室２の両側壁８に沿って配されるとともにＬＥＤ３の出射光を貯蔵室２の後部に導光する導光板２０とを備え、導光板２０を導光して導光板２０から出射される光によって貯蔵室２内を照明した。【選択図】図３
2010286209.tif 000002
【特許請求の範囲】
【請求項１】
貯蔵物を収納する貯蔵室と、前記貯蔵室の両側壁の前部に配されるとともに上下に並ぶ複数のＬＥＤと、前記貯蔵室の両側壁に沿って配されるとともに前記ＬＥＤの出射光を前記貯蔵室の後部に導光する導光板とを備え、前記導光板を導光して前記導光板から出射される光によって前記貯蔵室内を照明したことを特徴とする冷蔵庫。
【請求項２】
前記導光板は前記側壁に面して前後に延びる凹凸部を有することを特徴とする請求項１に記載の冷蔵庫。
【請求項３】
前記導光板の前面に面して前記ＬＥＤを配置したことを特徴とする請求項１または請求項２に記載の冷蔵庫。
【請求項４】
前記導光板は前記貯蔵室側の前部に後方が前記貯蔵室側に向かって傾斜する傾斜面を有し、前記ＬＥＤが前記導光板の前記側壁側に面して前記傾斜面に対向配置されることを特徴とする請求項１または請求項２に記載の冷蔵庫。
【請求項５】
前記ＬＥＤと前記導光板との間に前記ＬＥＤを覆う透明なランプカバーを設け、前記ランプカバーは前記ＬＥＤよりも前方に前記ＬＥＤの視認性を低下させる処理が施されることを特徴とする請求項１〜請求項４のいずれかに記載の冷蔵庫。
【請求項６】
前記ＬＥＤと前記導光板との間に前記ＬＥＤを覆う非透明なランプカバーを設け、前記ＬＥＤが挿通される孔部を前記ランプカバーに形成したことを特徴とする請求項１〜請求項４のいずれかに記載の冷蔵庫。
【請求項７】
前記導光板がポリスチレン樹脂から成ることを特徴とする請求項１〜請求項６のいずれかに記載の冷蔵庫。
【発明の詳細な説明】
【技術分野】
【０００１】
本発明は、ＬＥＤにより貯蔵室内を照明する冷蔵庫に関する。
【背景技術】
【０００２】
従来の冷蔵庫は特許文献１、２に開示されている。この冷蔵庫は貯蔵物を収納する貯蔵室内を照明する複数のＬＥＤを有している。ＬＥＤは上下に並んで貯蔵室の両側壁の前部に配される。
【０００３】
図７は貯蔵室の側壁の前部を示す上面断面図である。貯蔵室２の側壁８には断熱材が充填され、貯蔵室２に面して上下に延びる照明室４が凹設される。照明室４の壁面は側壁８と一体の樹脂成形品から成る枠部５により形成される。枠部５にはＬＥＤ３を実装した実装基板７が取り付けられる。照明室４の正面には透明樹脂から成るランプカバー６が配される。ランプカバー６は爪部６ａが枠部５に設けた孔部５ａに係合して係止される。
【０００４】
貯蔵室２の扉を開くとＬＥＤ３に通電され、ＬＥＤ３から出射された出射光がランプカバー６を透過する。これにより、貯蔵室２内が前部から照明される。
【先行技術文献】
【特許文献】
【０００５】
【特許文献１】特開２００７−１８７３６３号公報（第３頁−第６頁、第２図）
【特許文献２】特開２００８−８９２７７号公報（第４頁−第６頁、第２図）
【発明の概要】
【発明が解決しようとする課題】
【０００６】
しかしながら、上記従来の冷蔵庫によると、ＬＥＤ３の出射光が貯蔵室２の前部から出射されるため、前方から照明される貯蔵物の影が該貯蔵物の後方に形成される。このため、後部に配される貯蔵物の視認性が悪い問題があった。
【０００７】
本発明は、貯蔵物の視認性を向上できる冷蔵庫を提供することを目的とする。
【課題を解決するための手段】
【０００８】
上記目的を達成するために本発明は、貯蔵物を収納する貯蔵室と、前記貯蔵室の両側壁の前部に配されるとともに上下に並ぶ複数のＬＥＤと、前記貯蔵室の両側壁に沿って配されるとともに前記ＬＥＤの出射光を前記貯蔵室の後部に導光する導光板とを備え、前記導光板を導光して前記導光板から出射される光によって前記貯蔵室内を照明したことを特徴としている。
【０００９】
この構成によると、貯蔵室の前部に配されるＬＥＤの出射光は貯蔵室の側壁に沿って配される導光板に入射する。導光板に入射した光は導光板の表面で反射して貯蔵室の後部に導光される。導光板を導光して臨界角よりも小さい入射角で導光板の表面に到達した光は導光板から貯蔵室内や貯蔵室の側壁に向かって出射される。貯蔵室の側壁の方向に出射された光は該側壁で反射して導光板を介して貯蔵室内に出射される。
【００１０】
また本発明は、上記構成の冷蔵庫において、前記導光板は前記側壁に面して前後に延びる凹凸部を有することを特徴としている。この構成によると、導光板は前後に延びて鉛直断面が例えばのこぎり歯状の凹凸部が貯蔵室の側壁に面して形成され、凹凸部の表面から出射した光は側壁で反射して貯蔵室内を照明する。
【００１１】
また本発明は、上記構成の冷蔵庫において、前記導光板の前面に面して前記ＬＥＤを配置したことを特徴としている。この構成によると、ＬＥＤから後方に向かって出射された光が導光板に前面から入射する。
【００１２】
また本発明は、上記構成の冷蔵庫において、前記導光板は前記貯蔵室側の前部に後方が前記貯蔵室側に向かって傾斜する傾斜面を有し、前記ＬＥＤが前記導光板の前記側壁側に面して前記傾斜面に対向配置されることを特徴としている。この構成によると、ＬＥＤから貯蔵室内に向かって左右方向に出射された光は導光板に側方から入射する。導光板に入射した光は傾斜面で反射して後方に導かれる。
【００１３】
また本発明は、上記構成の冷蔵庫において、前記ＬＥＤと前記導光板との間に前記ＬＥＤを覆う透明なランプカバーを設け、前記ランプカバーは前記ＬＥＤよりも前方に前記ＬＥＤの視認性を低下させる処理が施されることを特徴としている。この構成によると、ＬＥＤの出射光は透明なランプカバーを透過して導光板に入射する。ランプカバーのＬＥＤよりも前方にはシルク印刷や非光沢面処理等によってＬＥＤの視認性を低下させる処理が施される。これにより、ＬＥＤの配線等の視認を妨げて貯蔵室内の美感が向上される。
【００１４】
また本発明は、上記構成の冷蔵庫において、前記ＬＥＤと前記導光板との間に前記ＬＥＤを覆う非透明なランプカバーを設け、前記ＬＥＤが挿通される孔部を前記ランプカバーに形成したことを特徴としている。この構成によると、ＬＥＤはランプカバーの孔部に挿通され、ＬＥＤの出射光は直接導光板に入射する。ランプカバーは非透明に形成され、ＬＥＤの配線等の視認を妨げて貯蔵室内の美感が向上される。
【００１５】
また本発明は、上記構成の冷蔵庫において、前記導光板がポリスチレン樹脂から成ることを特徴としている。
【発明の効果】
【００１６】
本発明によると、ＬＥＤの出射光を貯蔵室の後部に導光する導光板を貯蔵室の両側壁に沿って配したので、貯蔵室の前部及び後部に配される貯蔵物を側方から照明することができる。また、貯蔵室の前部及び後部に配される貯蔵物を前後から照明することができる。従って、貯蔵物の影による後方の貯蔵物の視認性低下を防止し、貯蔵物の視認性を向上することができる。
【図面の簡単な説明】
【００１７】
【図１】本発明の第１実施形態の冷蔵庫を示す斜視図
【図２】図１のＡ矢視図
【図３】図２のＢ−Ｂ断面図
【図４】本発明の第１実施形態の冷蔵庫の導光板を示す斜視図
【図５】本発明の第１実施形態の冷蔵庫の他の導光板を示す斜視図
【図６】本発明の第２実施形態の冷蔵庫の貯蔵室の側壁を示す上面断面図
【図７】従来の冷蔵庫の貯蔵室の側壁を示す上面断面図
【発明を実施するための形態】
【００１８】
以下に本発明の実施形態を図面を参照して説明する。説明の便宜上、前述の図７に示す従来例と同一の部分は同一の符号を付している。図１は第１実施形態の冷蔵庫を示す斜視図であり、図２は図１のＡ矢視図である。冷蔵庫１は断熱材を充填した断熱箱体１ａにより貯蔵室２が区画される。
【００１９】
貯蔵室２の左右の側壁８の前部にはＬＥＤ３（図３参照）が配される照明室４が上下に延びて設けられる。貯蔵室２内には左右の側壁８に沿って透明樹脂から成る平板状の導光板２０が配される。両側壁８間には貯蔵物を載置する載置トレイ９が配される。載置トレイ９は貯蔵室２の両側壁８に突設される支持部１１上に橋架され、導光板２０には支持部１１が貫通する開口部２２が形成されている。
【００２０】
貯蔵室２の背面には冷気が流通する冷気通路１２が形成される。冷気通路１２を流通する冷気は吐出口（不図示）を介して貯蔵室２内に吐出される。冷気通路１２の前面は金属パネル１３で覆われ、冷気通路１２を流通する冷気の冷熱が金属パネル１３を介して貯蔵室２に放出される。これにより、貯蔵室２内を均一に冷却することができる。
【００２１】
図３は図２のＢ−Ｂ断面図を示している。また、図４は導光板２０の斜視図を示している。照明室４は貯蔵室２の両側壁８に凹設され、照明室４の壁面は側壁８と一体の樹脂成形品から成る枠部５により形成される。照明室４の正面には透明樹脂から成るランプカバー６が配される。ランプカバー６は爪部６ａが枠部５に設けた孔部５ａに係合して係止される。
【００２２】
ランプカバー６の前部には貯蔵室２内に突出する平面断面がコ字状の突出部６ｂが形成される。突出部６ｂの内部にはチップ状の複数のＬＥＤ３を上下方向に並んで実装した実装基板７が取り付けられる。ＬＥＤ３は導光板８の前面２０ｃに対向して出射面３ａを後方に向けて配置される。
【００２３】
また、ランプカバー６は透明樹脂から成るため、ＬＥＤ３よりも前方に不透明なシルク印刷が施される。これにより、実装基板７等の照明室４の内部の視認を防止することができる。シルク印刷に替えてサンドブラストやシボ加工等によってランプカバー６に非光沢面処理を施してもよい。即ち、ＬＥＤ３の視認性を低下させる処理がランプカバー６に施されていればよい。
【００２４】
導光板２０はポリスチレン樹脂等から成り、貯蔵室２内に面した第１側面２０ａと側壁８に面した第２側面２０ｂとが対向する。また、導光板２０の第２側面２０ｂには前後方向に延びた鉛直断面がのこぎり歯状の凹凸部２１が形成される。凹凸部２１の形状は例えば、頂角が９０゜、ピッチが０．１５ｍｍになっている。凹凸部２１と側壁８との間には空気層が形成されている。空気層の屈折率が約１．０であり、導光板２０の材料がポリスチレンの場合は屈折率が１．５９〜１．６０であるため、全反射の臨界角は約４３°になっている。
【００２５】
貯蔵室２の扉を開くとＬＥＤ３に通電され、ＬＥＤ３から出射された出射光がランプカバー６を透過して導光板８に前面２０ｃから入射する。導光板２０に入射した光は第１、第２側面２０ａ、２０ｂで反射して導光板２０内を導光する。そして、第１側面２０ａまたは第２側面２０ｂに臨界角よりも小さい角度で入射した光は導光板２０の表面から出射される。
【００２６】
第２側面２０ｂから出射された光は導光板２０に対向する側壁８の表面により形成される反射面８ａで反射し、導光板２０に再度入射して第１側面２０ａから出射される。これにより、貯蔵室２の前部から後部にわたって導光板２０全体から照明される。尚、側壁８の反射面８ａを白色にすると貯蔵室２側に反射し易くなる。また、導光板２０の第２側面２０ｂまたは側壁８の反射面８ａに金属製の反射膜や反射シート等の反射部材を設けると、光強度の減衰を抑制することができるためより望ましい。
【００２７】
また、導光板２０を導光する光は導光板２０の上面２０ｄ、下面２０ｅ、背面２０ｆからも出射される。これにより、導光板２０よりも上方、下方及び後方を照明することができる。また、背面２０ｆから出射される光は金属パネル１３で反射し、貯蔵室２内を背面からも照明することができる。導光板２０よりも上方に貯蔵物が配置されない場合は、上面２０ｄに反射膜や反射テープ等の反射部材を設けてもよい。
【００２８】
本実施形態によると、ＬＥＤ３の出射光を貯蔵室２の後部に導光する導光板２０を貯蔵室の両側壁８に沿って配したので、貯蔵室２の前部及び後部に配される貯蔵物を側方から照明することができる。また、貯蔵室２の前部及び後部に配される貯蔵物を前後から照明することができる。従って、貯蔵物の影による後方の貯蔵物の視認性低下を防止し、貯蔵物の視認性を向上することができる。
【００２９】
また、導光板２０が側壁８に面して前後に延びる凹凸部２１を第２側面２０ｂに有している。導光板２０の導光は凹凸部２１での反射によって第２側面２０ｂを平面に形成した場合に比して進行方向が多様な方向に分散される。これにより、導光板２０の表面に到達する光の入射角が臨界角よりも小さくなり易いため、導光板２０の背面２０ｆまで導光する光が減少して側方に出射される光が多くなる。従って、貯蔵室２内を前部から後部にわたってより確実に照明して貯蔵物の視認性をより向上することができる。
【００３０】
また、図５に示すように、サンドブラストやシボ加工等によって凹凸部２１の表面に梨地模様等の非光沢面処理Ｋを施すとより望ましい。これにより、凹凸部２１の反射光をより分散させることができる。
【００３１】
また、導光板２０の前面２０ｃに面してＬＥＤ３を配置したので、ＬＥＤ３の出射光を容易に導光板２０に入射させることができる。
【００３２】
また、ランプカバー６にはＬＥＤ３よりも前方にＬＥＤ３の視認性を低下させる処理が施される。これにより、照明室４の内部の実装基板７や配線を見えなくして貯蔵室２内の美感を向上することができる。また、ＬＥＤ３から前方に出射される光による眩しさを低減することができる。
【００３３】
次に、図６は第２実施形態の冷蔵庫１の貯蔵室２の側壁８の前部を示す上面断面図である。説明の便宜上、前述の図１〜図５に示す第１実施形態と同一の部分は同一の符号を付している。本実施形態は第１実施形態に対してＬＥＤ３の配置及び導光板２０の形状が異なっている。その他の部分は第１実施形態と同一である。
【００３４】
ＬＥＤ３を実装する実装基板７は導光板２０と平行に配置され、ＬＥＤ３の出射面３ａが導光板２０の第２側面２０ｂに面して配置される。また、導光板２０の前部には後方が貯蔵室２側に向かって傾斜する傾斜面２３が形成され、ＬＥＤ３が傾斜面２３に対向する。
【００３５】
ＬＥＤ３から出射された出射光はランプカバー６を透過して導光板８に第２側面２０ｂから入射する。導光板２０に入射した光は傾斜面２３で後方に反射し、第１、第２側面２０ａ、２０ｂで反射して導光板２０内を導光する。そして、第１側面２０ａまたは第２側面２０ｂに臨界角よりも小さい角度で入射した光は導光板２０の表面から出射される。傾斜面２３に反射膜や反射シート等の反射部材を設けてもよい。
【００３６】
本実施形態によると、第１実施形態と同様の効果を得ることができる。加えて、ＬＥＤ３が、導光板２０の側壁８側（第２側面２０ｂ）に面して傾斜面２３に対向配置される。これにより、ランプカバー６の突起部６ｂ（図３参照）を省くことができ、貯蔵物の取り出しを容易にして冷蔵庫１の利便性を向上することができる。
【００３７】
第１、第２実施形態において、導光板２０は透明であればアクリル樹脂やガラス等を用いてもよい。しかし、ポリスチレン樹脂はアクリル樹脂やガラスに比して成形性がよく、光の拡散が大きい。このため、導光板２０を容易に形成できるとともに、背面２０ｆまで導光する光を少なくして第１側面２０ａや第２側面２０ｂから出射される光を多くすることができる。従って、貯蔵物の視認性をより向上することができる。
【００３８】
また、導光板２０に着色材を混入して照明光を発色してもよい。これにより、ＬＥＤ３から離れた位置で発色するため、ＬＥＤ３に近いランプカバー６を着色するよりも着色材を少なくすることができる。このため、照度の低下を抑制して発色することができる。また、使用者の嗜好に応じて導光板２０を取り替えて照明光の発色を可変することができる。
【００３９】
また、ランプカバー６にＬＥＤ３を挿通する孔部を設けてもよい。これにより、ＬＥＤ３の出射光が直接導光板２０に入射し、光の強度を向上することができる。この時、ランプカバー６を非透明に形成することにより、照明室４の内部の実装基板７や配線を見えなくして貯蔵室２内の美感を向上することができる。また、ＬＥＤ３から前方に出射される光による眩しさを低減することができる。
【産業上の利用可能性】
【００４０】
本発明によると、ＬＥＤにより貯蔵室内を照明する冷蔵庫に利用することができる。
【符号の説明】
【００４１】
１    冷蔵庫
２    貯蔵室
３    ＬＥＤ
４    照明室
５    枠部
６    ランプカバー
７    実装基板
８    側壁
１１    支持部
１２    冷気通路
１３    金属パネル
２０    導光板
２０ａ  第１側面
２０ｂ  第２側面
２０ｃ  前面
２１    凹凸部
２２    開口部
２３    傾斜面
【図１】
2010286209.tif 000003
【図２】
2010286209.tif 000004
【図３】
2010286209.tif 000005
【図４】
2010286209.tif 000006
【図５】
2010286209.tif 000007
【図６】
2010286209.tif 000008
【図７】
2010286209.tif 000009
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
貯蔵物を収納する貯蔵室と、
前記貯蔵室の両側壁の前部に配されるとともに上下に並ぶ複数のＬＥＤと、
前記貯蔵室の両側壁に沿って配されるとともに前記ＬＥＤの出射光を前記貯蔵室の後部に導光する導光板と、
前記側壁の表面により形成された反射面と、
を備え、前記導光板は前記反射面に近接して設けられ、
前記導光板を導光して前記導光板から出射される光によって前記貯蔵室内を照明したことを特徴とする冷蔵庫。
【請求項２】
前記導光板は前記側壁に面して前部から後部にわたって前後に延びる凹凸部を有し、前記凹凸部の表面には非光沢面処理が施されたことを特徴とする請求項１に記載の冷蔵庫。
【請求項３】
前記導光板の前面に面して前記ＬＥＤを配置したことを特徴とする請求項１または請求項２に記載の冷蔵庫。
【請求項４】
前記導光板は前記貯蔵室側の前部に後方が前記貯蔵室側に向かって傾斜する傾斜面を有し、前記ＬＥＤが前記導光板の前記側壁側に面して前記傾斜面に対向配置されることを特徴とする請求項１または請求項２に記載の冷蔵庫。
【請求項５】
前記ＬＥＤと前記導光板との間に前記ＬＥＤを覆う透明なランプカバーを設け、前記ランプカバーは前記ＬＥＤよりも前方に前記ＬＥＤの視認性を低下させる処理が施されることを特徴とする請求項１〜請求項４のいずれかに記載の冷蔵庫。
【請求項６】
前記ＬＥＤと前記導光板との間に前記ＬＥＤを覆う非透明なランプカバーを設け、前記ＬＥＤが挿通される孔部を前記ランプカバーに形成したことを特徴とする請求項１〜請求項４のいずれかに記載の冷蔵庫。
【請求項７】
前記導光板がポリスチレン樹脂から成ることを特徴とする請求項１〜請求項６のいずれかに記載の冷蔵庫。
【手続補正２】
【補正対象書類名】明細書
【補正対象項目名】００２５
【補正方法】変更
【補正の内容】
【００２５】
貯蔵室２の扉を開くとＬＥＤ３に通電され、ＬＥＤ３から出射された出射光がランプカバー６を透過して導光板２０に前面２０ｃから入射する。導光板２０に入射した光は第１、第２側面２０ａ、２０ｂで反射して導光板２０内を導光する。そして、第１側面２０ａまたは第２側面２０ｂに臨界角よりも小さい角度で入射した光は導光板２０の表面から出射される。